【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
テープを貼着する装置であって、該装置に関して前方向に移動されるケースにテープを貼り付けることができるものにおいて、
ベースと、
粘着面及び非粘着面を有し、貼り付けるテープを供給するテープ供給源と、
フロントアプリケータと、
リヤアプリケータと、
自由端部を有し、該自由端部の近傍にフロントアプリケータを取り付けるフロントアームと、
自由端部を有し、該自由端部の近傍にリヤアプリケータを取り付けるリヤアームと、
間隔を存して平行に配置された軸の周りを回転可能にベースに配備されたフロントアームを取り付ける第１の回動式取付部と、
間隔を存して平行に配置された軸の周りを回転可能にベースに配備されたリヤアームを取り付ける第２の回動式取付部と、
フロントアーム及びリヤアームを相互に連結して両アームを一緒に作動させるための押し棒と、
フロントアーム及びリヤアームを、フロントアプリケータがテープ貼着されるケースに当接する位置であるレシーブ位置に付勢する手段と、
各々が固定端部と該固定端部から遠位側に自由端部とを有する細長片形態である少なくとも１つのワイパー要素から構成されるワイパーであって、前記ワイパー要素は、自由端部がテープを横切ることができるように配置され、前記前方向に移動したケースにテープが貼り付けられるとき、前記細長片がテープに当接し、テープをケースに押圧して、テープをワイピングしてケースと密着するようにしており、細長片が、形状を保持することができる弾性及び半剛性材料から形成され、テープがワイピングされてケースと密接に接触すると、ワイパー要素からテープに加えられる圧力によって細長片が変形されるようにしたワイパーと、
フロントアプリケータに隣接して配置され、テープがケースに貼り付けられたとき、フロントアプリケータに隣接するテープを切り取るためのカットオフ手段と、を具えており、
カットオフ手段は、カッターとカットオフカムとを含み、該カットオフカムは、テープがケースに貼られるときにケースに係合するように配置され、テープを切り取るカットオフ手段の動作を制御することができる機能を有している、テープ貼着装置。
【請求項２】
ワイパーは、ベースに固定して取り付けられている、請求項１に記載のテープ貼着装置。
【請求項３】
ワイパーが取り付けられたワイパーアームと、
前記前方向にてカットオフ手段の前方に配置され、前記間隔を存して平行な軸に平行な軸の周りを移動させるために、ワイパーアームをベースに取り付ける第３の回動式取付部と、
ワイパーをケースに対して付勢する手段と、をさらに具えている、請求項１に記載のテープ貼着装置。
【請求項４】
フロントワイパーから前記前方向の離間した位置にて、ベースに固定された少なくとも１つのワイパー要素から構成されたリヤワイパーをさらに具えている、請求項１又は３に記載のテープ貼着装置。
【請求項５】
カッター手段は、
カッターを具え、
カッターカムは、カッターアームに取り付けられ、該カッターアームの自由端部に隣接して配置されており、
前記カッターアームの自由端部から遠位置の取付端部にてカッターアームを取り付ける回動式カッター取付部を具えており、回動式カッター取付部はベースに取り付けられ、該回動式カッター取付部に取り付けられたカッターアームは、間隔を存して平行に配置された前記軸に平行な回動式カッター軸の周りで回動可能であり、回動式カッター軸は、前記前方向でカッターカムの前方にて、第１の回動軸と第２の回動軸との間でベースに配置されている、請求項１に記載のテープ貼着装置。
【請求項６】
カッターは、カッターアンビルの一端部にカッターナイフを含んでおり、該カッターナイフは、カッターアームに取り付けられ、テープの幅の１／３よりも短い距離を、テープの一方の側部縁からテープを横切る方向に延在し、回動式カッター軸は、カッターナイフが、フロントアプリケータからケースに約２５〜７５度の角度βで延伸するテープの径路に当接するように配置されており、カッター手段によるテープの切取りは、最初にテープの一方の側部縁をカットし、前記パッドをテープと相互作用させてテープの幅の残部を引き裂くことによって行われる、請求項６に記載のテープ貼着装置。
【請求項７】
テープを貼着する装置であって、該装置に関して前方向に移動されるケースにテープを貼り付けることができるものにおいて、
ベースと、
粘着面及び非粘着面を有し、貼り付けるテープを供給するテープ供給源と、
フロントアプリケータと、
リヤアプリケータと、
自由端部を有し、該自由端部の近傍にフロントアプリケータを取り付けるフロントアームと、
自由端部を有し、該自由端部の近傍にリヤアプリケータを取り付けるリヤアームと、
間隔を存して平行に配置された軸の周りを回転可能にベースに配備されたフロントアームを取り付ける第１の回動式取付部と、
間隔を存して平行に配置された軸の周りを回転可能にベースに配備されたリヤアームを取り付ける第２の回動式取付部と、
フロントアーム及びリヤアームを相互に連結して両アームを一緒に作動させるための押し棒と、
フロントアーム及びリヤアームを、フロントアプリケータがテープ貼着されるケースに当接する位置であるレシーブ位置に付勢する手段と、
カッターアームに取り付けられたカッター及びカッターアームの自由端部に隣接した配置されたカッターカムとを含むカッター手段と、
カッターアームの自由端部とは遠位置の取付け端部にてカッターアームを取り付ける回動式カッター取付部と、を具えており、
前記回動式カッター取付部は、ベースに取り付けられ、該回動式カッター取付部に取り付けられたカッターアームは、間隔を存して平行に配置された前記軸に平行な回動式カッター軸の周りで回動可能であり、回動式カッター軸が、カッターカムの前記前方向の前方で、第１の回動軸と第２の回動軸との間にベースに配置され、前記カッターはフロントアプリケータに隣接している、テープ貼着装置。
【請求項８】
前記カッターは、カッターアンビルの一端部にカッターナイフを含んでおり、
前記カッターナイフは、カッターアームに取り付けられ、テープの幅の１／３よりも短い距離を、テープの一方の側部縁からテープを横切る方向に延在し、
前記回動式カッター軸は、カッターナイフが、フロントアプリケータからケースに約２５〜７５度の角度βで延伸するテープの径路に当接するように配置されており、カッター手段によるテープの切取りは、最初にテープの一方の側部縁をカットし、前記パッドをテープと相互作用させてテープの幅の残部を引き裂くことによって行われる、テープ貼着装置。
【請求項９】
第１の回動取付部に関して半径方向に間隔を存してフロントアプリケータアームに取り付けられた一対のタブ調節用ガイドロールと、フロントアームに取り付けられた出口ロールとをさらに具えており、
前記一対のタブ調節用ガイドロールは、第１の回動取付部と出口ロールとの間にあり、前記一対のタブ調節用ガイドロールのうちの第１のガイドロールは、第２のガイドロールよりも第１の回動取付部からさらに遠い位置に取り付けられており、短いフロントタブが所望されるとき、テープは第１のガイドロールを回避して第２のガイドロールを通り、長いフロントタブが所望されるとき、テープは第１のガイドロールのみを通る、請求項１に記載のテープ貼着装置。
【請求項１０】
ワイパーは、ベースに取り付けられ、前記前方向にてカットオフカムのすぐ前方に配置され  ている、請求項１に記載のテープ貼着装置。
【請求項１１】
ワイパーは、ベースに固定して取り付けられている、請求項１０に記載のテープ貼着装置。
【請求項１２】
ワイパーが取り付けられたワイパーアームと、
前記前方向にてカットオフ手段の前方に配置され、前記間隔を存して平行な軸に平行な軸の周りを移動させるために、ワイパーアームをベースに取り付ける第３の回動式取付部と、
ワイパーをケースに対して付勢する手段と、をさらに具えている、請求項１０に記載のテープ貼着装置。
【請求項１３】
フロントワイパーから前記前方向の離間した位置にて、ベースに固定された少なくとも１つのワイパー要素から構成されたリヤワイパーをさらに具えている、請求項１０又は１１に記載のテープ貼着装置。